(57)【要約】【課題】  外出時摘みを取り外すタイプの防犯型サムターンの安全性を向上させる。【解決手段】  サムターン座に回動可能に支承されたダルマ操作軸８の内端面に略十字形の連結孔１５を開口させ、この連結孔１５に、摘みと一体でダルマ操作軸８と同軸の連結軸を有し、その連結軸の先端部外周面に、その母線に沿って、４条の突条を形成した着脱部の連結軸を差込んで着脱部をダルマ操作軸に連結するようにしたものにおいて、上記連結孔に同軸の充填杆２３を形成し、これに対応して連結軸の先端部に受孔を開口させ、連結軸の先端部を連結孔に嵌合させるとき充填杆を受孔に収納するようにし、一方、ダルマ操作軸の内端面に重合するようにして、施錠角度位置又は解錠角度位置における連結軸のみが挿通できる連結孔１５とほぼ同形の規制孔を開口させた邪魔板を挿設する。【選択図】  図７
2006169792.tif 000002
【特許請求の範囲】
【請求項１】
扉内面に装着されたサムターン座と、このサムターン座に回動可能に支承され、外端部を錠箱内のダルマに連結させたダルマ操作軸と、摘みと一体でダルマ操作軸と同軸の連結軸を有し、その連結軸の先端部外周面に、その母線に沿って、少なくとも１個の突条を形成した着脱部と、サムターン座において扉面と平行な平面内で揺動可能に案内された板状体で、連結軸の先端部と遊嵌する係止孔を開口させると共に、一方に付勢されたストッパーとを有し、ダルマ操作軸の室内側の内端面に連結軸と同じ横断面形状で有底の連結孔を開口させ、この連結孔に連結軸の先端部を嵌合させることにより着脱部をダルマ操作軸に連結し、ストッパーの係止孔の開口端縁部を連結軸の突条と係合させることにより着脱部の抜け止めを施したものにおいて、上記連結孔に同軸の充填杆を形成し、これに対応して連結軸の先端部に受孔を開口させ、連結軸の先端部を連結孔に嵌合させるとき充填杆を受孔に収納するようにし、一方、ストッパーとダルマ操作軸の内端面との間に、施錠角度位置又は解錠角度位置における連結軸のみが挿通できる規制孔を開口させた邪魔板を挿設したことを特徴とする防犯型サムターン。
【発明の詳細な説明】
【技術分野】
【０００１】
この発明は、防犯型サムターンに係り、特に、不正解錠を防止することができ、以て安全性を高めた防犯型サムターンに関する。
【背景技術】
【０００２】
サムターンは、周知のように、扉内面にシリンダ錠と同軸に装着され、摘みを回すことことにより、合鍵を用いること無く、シリンダ錠の施解錠を行う装置である。
【０００３】
ところで、近年、デザイン上の要請により扉に明り取りの開口を設け、ここにガラス板を嵌め込んだ扉が使用されるようになった。
【０００４】
この扉は所謂恰好は良いが、室外側からガラス板を割り、その開口から手を室内側に差し入れてサムターンの摘みを回せば、容易に不正解錠を許してしまい防犯性が低下することは否めない。
【０００５】
そこで、本出願人は、後記特許文献１を以て、このような不正解錠を不可能にした防犯型サムターンを提案した。
【特許文献１】特許第３６０２９５７号特許公報
【発明の開示】
【発明が解決しようとする課題】
【０００６】
この防犯型サムターンは、室内側にサムターン用のシリンダ錠を設け、このシリンダ錠の内筒を錠箱内のダルマ操作軸に連結すると共に、このシリンダ錠の合鍵をサムターンの摘みとして用い、外出の際等にはこの合鍵を抜くものである。
【０００７】
この防犯型サムターンは、勿論所期の機能を発揮して実用されているが、サムターンの構造が複雑になり、コストが上昇する、等未だ改良の余地がある。
【０００８】
この防犯型サムターンの簡易型の型式として、外出時サムターンの摘みを取り外してしまうものがある。
【０００９】
しかしながら、この型式の防犯型サムターンは、摘みを取り外した後室内側空間に露出する連結部を操作することにより、不正解錠が可能であるという不都合がある。
【００１０】
そこで、この発明は、外出時摘みを取り外す簡易な形式でありながら、不正解錠を防止できる防犯型サムターンを提供し、以て防犯型サムターンの構造を簡単にすると共に、その安全性を向上させることを目的としている。
【課題を解決するための手段】
【００１１】
上記の目的を達成するため、請求項１に記載の発明は、扉内面に装着されたサムターン座と、このサムターン座に回動可能に支承され、外端部を錠箱内のダルマに連結させたダルマ操作軸と、摘みと一体でダルマ操作軸と同軸の連結軸を有し、その連結軸の先端部外周面に、その母線に沿って、少なくとも１個の突条を形成した着脱部と、サムターン座において扉面と平行な平面内で揺動可能に案内された板状体で、連結軸の先端部と遊嵌する係止孔を開口させると共に、一方に付勢されたストッパーとを有し、ダルマ操作軸の室内側の内端面に連結軸と同じ横断面形状で有底の連結孔を開口させ、この連結孔に連結軸の先端部を嵌合させることにより着脱部をダルマ操作軸に連結し、ストッパーの係止孔の開口端縁部を連結軸の突条と係合させることにより着脱部の抜け止めを施したものにおいて、上記連結孔に同軸の充填杆を形成し、これに対応して連結軸の先端部に受孔を開口させ、連結軸の先端部を連結孔に嵌合させるとき充填杆を受孔に収納するようにし、一方、ストッパーとダルマ操作軸の内端面との間に、施錠角度位置又は解錠角度位置における連結軸のみが挿通できる規制孔を開口させた邪魔板を挿設したことを特徴とする。
【発明の効果】
【００１２】
上記のように構成された請求項１に記載の発明による防犯型サムターンは、着脱部を取り外した後に開口するダルマ操作軸の連結孔の中心に充填杆が存在するので、不正解錠の目的で連結孔にマイナスドライバーの先端等の不正解錠工具を差し入れる際、その不正解錠工具は充填杆に邪魔されて連結孔の隅部に押しやられる。
【００１３】
そして、その工具の側端縁は連結軸の突条受入れ部に必ず係合し、この状態で不正解錠工具を回すと、その回動は固定の邪魔板の規制孔との係合によって阻止されるので、不正解錠を完全に防止できる、という優れた効果を奏する。
【発明を実施するための最良の形態】
【００１４】
連結孔に同軸の充填杆を形成することにより、着脱部を取り外した後露出する連結孔への不正解錠工具の係入を規制し、少なくとも不自由にし、一方、ストッパーとダルマ操作軸の内端面との間に、施錠角度位置及び解錠角度位置における連結軸のみが挿通できる規制孔を開口させた邪魔板を挿設したので、連結孔の内面と充填杆との間に挿入された不正解錠工具の回動を阻止し、簡単な構成により防犯型サムターンの不正解錠防止機能を付与できた。
【００１５】
以下、この発明の実施例を図面を参照して説明する。
図１乃至図４において符号１はサムターン座を示し、このサムターン座１は、カップ状のカバー２（図１及び図２参照）を被せた状態で、取付ねじ３、３（図１参照）により扉４の内面に装着される。
【００１６】
なお、この取付ねじ３は、サムターン座１に開口したねじ孔５（図３参照）、扉４及び錠箱６を挿通し、通常、その先端を図示しないシリンダ筒に螺合させ、シリンダ筒を扉外面に呼び付けるように固定する。
【００１７】
このサムターン座の中央に開口した支持孔７（図３及び図４参照）には段付のダルマ操作軸８（図１及び図２参照）が回動可能に支承され、Ｅ−リング等の止め輪９によって抜け止めが施されている。
【００１８】
このダルマ操作軸８の断面が例えば十字形の先端（図１、２で右端）は、錠箱６の側板の開口を挿通して、通常ダルマと称されるデッドボルト操作部材と係合しており、このダルマ操作軸８の回動により扉の施解錠が行われることは通常のサムターンと同様である。
【００１９】
一方、このダルマ操作軸８に選択的に連結される着脱部１１は図５に示すように構成されている。
【００２０】
すなわち、着脱部１１は、図５に示すように、例えば合成樹脂製の摘み１２と、この摘み１２に基端を埋設することにより一体的に結合され、装着時、ダルマ操作軸と同軸となる連結軸１３とを有している。
【００２１】
この連結軸１３の先端部（図５で右端部）の外周面には、その母線に沿って、計４条の突条１４、１４が形成されている。
【００２２】
図示の実施例では、これらの突条１４、１４は相互に９０度の角度間隔を保って形成されており、また、図５及び図６に示すように、一つおきに半径方向の高さに差が設けられている。
【００２３】
これに対応して、図７に示すように、前記ダルマ操作軸８の室内側の内端面に連結軸１３の先端部の横断面形状と同じ略十字形で有底の連結孔１５とが形成されている。
【００２４】
すなわち、連結軸の先端部をダルマ操作軸の連結孔１５に差し入れて嵌合させることにより、連結軸１３とダルマ操作軸８とを回り止めを施した状態で連結することができる。
【００２５】
なお、上記のように連結軸の突条１４、１４に一つおきに高低差を設けた理由は、摘み１２とダルマ操作軸８との相対関係角度を一定にし、通常のサムターンがそうであるように、摘みが水平になっているときは施錠と定め、室内から摘みを見るだけで施解錠状態を判断できるようにするためである。
【００２６】
一方、図１及び図２に示すように、連結軸１３の中央部と干渉する位置に、ストッパー１６が配設されている。
【００２７】
このストッパー１６は、図２及び図８に示すように、全体の形状が略逆凸字形の厚板材で、その図８における上端部には左右一対のばね片１７、１７が一体に形成されており、また、その上端部中央には、略十字形で、連結軸の先端部が遊嵌できる係止孔１８が開口している。
【００２８】
そして、このストッパー１６は、サムターン座１に形成されたストッパ凹部１９（図３及び図４参照）に填め込まれた状態で、図３で所定量上下方向に、また、図２で扉面と平行な平面内で揺動可能に保持案内されている。
【００２９】
更にまた、上記ストッパ凹部１９の天井面に弾接された上記ばね片１７、１７の弾力により、下方に付勢されている。
【００３０】
なお、外力が作用しない状態におけるストッパー１６の待機位置は、その段部とストッパ凹部１７の開口端縁との接合によって一義的に定まる。
【００３１】
そして、そのストッパー１６待機位置においては、図９に示すように、係止孔１８の横長の開口の上端縁２１（図８参照）が前記ダルマ操作軸の連結孔１５の中心を通る水平面と合致するように設定されている。
【００３２】
そのため、ストッパー１６が待機位置にあるときには、連結軸１３が施錠角度位置にあるときにも、また解錠角度位置にあるときにも、高低何れかの突条１４、１４が上記上端縁２１と係合し、このようにして着脱部１１の抜け止めが施される。
【００３３】
但し、ストッパー１６の下端部は前記サムターン座１及びカップ状の化粧部材２２を貫通して下方に突出しており、着脱部１１を取り外す際、このストッパー１６の下端部を付勢力に抗して上方に押上げれば、ストッパーと突条１６との係合が解けるので、装着した着脱部１１を抜き外すことができる。
【００３４】
なお、各突条１４の先端部には付番しない傾斜部が形成されており、この傾斜部と上記係止孔の上端縁２１との間に生じる楔作用により、連結軸１３をダルマ操作軸８に嵌め込む際自動的にストッパーが少し上昇し、やがて下降して自動的に抜け止めが行われる。
【００３５】
上記のように構成された防犯型サムターンは、着脱部１１を取り外した状態でダルマ操作軸の十字形の連結孔１５（図７参照）が室内空間に露出し、この連結孔１５にドライバー等を差込めば不正解錠が容易である。
【００３６】
そこで、この発明の特徴的な構成は、図１、図２及び図７に示すように、連結孔１５内に同軸の充填杆２３を形成し、連結孔１５内にドライバー等を容易に差込めないようにしてある。
【００３７】
これに対応して、図１０に示すように、連結軸１３の先端部に受孔２４が形成されており、連結軸の先端部を連結孔１５に嵌合させるとき、充填杆２３を受孔に収納するようにしている（図１及び図２参照）。
【００３８】
加えて、図１及び図２に示すように、サムターン座２の中央に形成された矩形の凹部１９（図３及び図４参照）に、換言すれば、ストッパー１６とダルマ操作軸８の内端面との間に、邪魔板２５が嵌め込まれている。
【００３９】
この邪魔板２５は、図１１に示すように、矩形の板材で、その中央に十字形の規制孔２６を開口させてある。
【００４０】
この規制孔２６の形状及び大きさは、施錠角度位置及び解錠角度位置にある連結軸１３のみが挿通できるように設定されている。
【００４１】
換言すれば、図７に示す十字形の連結孔１５の横棒部の幅を少し大きくして縦棒部の長さと同じにし、この規制孔２６を連結孔１５の開口に重合させてある。
【００４２】
上記のように構成されたこの発明の一実施例による防犯型サムターンは、着脱部１１を取り外した状態で、ドライバー等の不正解錠工具２７を連結孔１５内に差込むと、図７に示すように、不正解錠工具２７は充填杆２３のため連結孔１５の隅部に押しやられ、その端部が前記突条を受入れる溝部に係入するに致る。
【００４３】
同時に、図１１に示すように、不正解錠工具２７は、邪魔板の規制孔２６の４ヵ所の切欠の一つに係入する。
【００４４】
この状態で不正解錠工具２７を回そうとしても、邪魔板２５は固定されているのだから、不正解錠工具は動かないことは明らかで、このようにしてこの防犯型サムターンは不正解錠を完全に防止する。
【図面の簡単な説明】
【００４５】
【図１】この発明の一実施例による防犯型サムターンの一部断面平面図。
【図２】この発明の一実施例による防犯型サムターンの一部断面側面図。
【図３】サムターン座の正面図。
【図４】サムターン座の断面図。
【図５】着脱部の側面図。
【図６】着脱部の平面図。
【図７】ダルマ操作軸の内端を示す正面図。
【図８】ストッパーの正面図。
【図９】着脱部を取り外して示す防犯サムターンの正面図。
【図１０】連結軸の縦断面図。
【図１１】邪魔板の正面図。
【符号の説明】
【００４６】
１  サムターン座
２  カバー
３  取付ねじ
４  扉
６  状箱
７  支持孔
８  ダルマ操作軸
１１  着脱部
１２  摘み
１３  連結軸
１４  突条
１５  連結孔
１６  ストッパー
１７  ばね片
１８  係止孔
１９  ストッパ凹部
２３  充填杆
２４  受孔
２５邪魔板
２６  規制孔
【図１】
2006169792.tif 000003
【図２】
2006169792.tif 000004
【図３】
2006169792.tif 000005
【図４】
2006169792.tif 000006
【図５】
2006169792.tif 000007
【図６】
2006169792.tif 000008
【図７】
2006169792.tif 000009
【図８】
2006169792.tif 000010
【図９】
2006169792.tif 000011
【図１０】
2006169792.tif 000012
【図１１】
2006169792.tif 000013